(57)【要約】【課題】  本発明は、使い勝手がよく、また、設計段階であっても製品の入隅や出隅の角部の先端の曲率や角度を容易に想定できるゲージを提供することにある【解決手段】  先端の曲率または／及び角度の異なる複数の角部１〜５を列設したものであり、角部１〜５の内面及び外面を各々出隅及び入隅の測定部１ａ〜５ｂとすることを特徴とする。【選択図】      図１（ａ）（ｂ）（ｃ）
2010266372.tif 000002
【特許請求の範囲】
【請求項１】
先端の曲率または／及び角度の異なる複数の角部を列設したものであり、角部の内面及び外面を各々出隅及び入隅の測定部とすることを特徴とするゲージ。
【請求項２】
肉厚の異なる複数の板部を有していることを特徴とする請求項１記載のゲージ。
【請求項３】
ゲージ収納部の外面に、先端の曲率または／及び角度の異なる複数の角部と、先端の曲率または／及び深さの異なる複数のＵ溝と、先端の角度または及び深さの異なる複数のＶ溝のうちのいずれか一または複数を有することを特徴とするゲージ収納ケース。
【発明の詳細な説明】
【技術分野】
【０００１】
本発明は、測定対象物の入隅や出隅を測定するゲージに関するものである。
【背景技術】
【０００２】
測定対象物の入隅や出隅を測定するものとしては、アングルゲージやラジアスゲージが市販されており、そして、意匠登録１００６０１２号公報のものがある。これらは、測定対象物の入隅や出隅に対し、測定者が目安を付けて選択した適当な測定部を沿わせ、選択した測定部が一致すれば、該当の測定部の曲率または角度を測定対象物の測定値として確定し、また、選択した測定部が一致しなければ、一致するまで別の測定部を選択し直していくものであった。
【先行技術文献】
【特許文献】
【０００３】
【特許文献１】意匠登録第１００６０１２号公報
【発明の概要】
【発明が解決しようとする課題】
【０００４】
ところが、市販のアングルゲージやラジアスゲージでは、入隅または出隅のいずれかの測定しか行えないことから、入隅用または出隅用の別のゲージを用意しなければならず、大変使い勝手が悪いものであった。また、上記の意匠登録公報のものでは、先端の曲率や角度の異なる複数の角部がゲージ本体の外周部に沿って形成して配置されているもので、さらに、角部が列設されていないことから、ゲージの外観から製品イメージを設計段階で想定しづらい不都合もあった。本発明は、上記課題を鑑みてなされたものであり、使い勝手がよく、また、設計段階であっても製品の入隅や出隅の先端の曲率や角度を容易に想定できるゲージを提供することにある。
【課題を解決するための手段】
【０００５】
本発明の請求項１記載の発明は、先端の曲率または／及び角度の異なる複数の角部を列設したものであり、角部の内面及び外面を出隅及び入隅の測定部とすることを特徴とする。
【０００６】
本発明の請求項２記載の発明では、肉厚の異なる複数の板部を有していることを特徴とする。
【０００７】
本発明の請求項３記載の発明は、ゲージ収納部の外面に、先端の曲率または／及び角度の異なる複数の角部と、先端の曲率または／及び深さの異なる複数のＵ溝と、先端の角度または及び深さの異なる複数のＶ溝のうちのいずれか一または複数を有することを特徴とする。
【発明の効果】
【０００８】
本発明のうち請求項１記載の発明によれば、先端の曲率や角度の違う複数の角部が列設すると共に、角部が入隅測定部と出隅測定部を有しているので、１つのゲージで測定対象物の入隅と出隅の両方が測定でき、使い勝手のよいゲージが提供できる。また、角部が列設し、入隅と出隅を有することで、設計段階で製品ディテールが想定し易くなり、製品意匠の統一性を図り易くなる。
【０００９】
本発明のうち請求項２記載の発明によれば、測定対象物の肉厚も測定できるため、測定対象が拡がることで、ゲージの多様な使い方ができる。
【００１０】
本発明のうち請求項３記載の発明によれば、ゲージ収納ケースの外面に設けた角部で出隅の曲率または角度の確認を行うことができると共に、Ｕ溝またはＶ溝で溝の曲率または角度および深さの確認を行うことができ、より一層設計段階において製品の入隅や出隅のディテールが想定しやすくなる。
【図面の簡単な説明】
【００１１】
【図１（ａ）（ｂ）（ｃ）】第一実施形態のゲージの使用状態を示す平面図であり、（ａ）は、測定対象物の出隅を測定するときのもの、（ｂ）は、測定対象物の入隅を測定するときのもの、（ｃ）は、測定対象物の肉厚を測定するときのものである。
【図２（ａ）（ｂ）（ｃ）】（ａ）は、第二実施形態のゲージを示す平面図であり、（ｂ）は、第三実施形態のゲージを示す平面図であり、（ｃ）は、第四実施形態のゲージを示す平面図である。
【図３（ａ）（ｂ）】（ａ）は、本実施によるゲージ収納ケースの斜視図であり、（ｂ）は、横断面図である。
【図４（ａ）（ｂ）】（ａ）は、他の実施形態のゲージ収納ケースの斜視図であり、（ｂ）は、ゲージを収容するときの状態を示す正面図である。
【発明を実施するための形態】
【００１２】
以下に、図面に基づいて本実施によるゲージの第一実施形態を説明する。本実施によるゲージは、図１（ａ）（ｂ）のように、縦長矩形状をなす板材を厚み方向に波形に５箇所彎曲させたものであり、Ｃ面を測定する角部とＲ面を測定する角部が交互に５つ列設してある。具体的にゲージは、図１（ａ）（ｂ）の図示左側にある角部を第一角部１としており、本実施によるゲージでは、第一角部１の内面に０．５ｍｍのＣ面用の入隅測定部１ａを有し、外面についても０．５ｍｍのＣ面用の出隅測定部１ｂを有している。また、第一角部１と隣接する第二角部２の内面に１０ｍｍのＲ面用の入隅測定部２ａを有し、外面にも１０ｍｍのＲ面用の出隅測定部２ｂを有している。また、第二角部２と隣接する第三角部３の内面に０．３ｍｍのＣ面用の入隅測定部３ａを有し、外面にも０．３ｍｍのＣ面用の出隅測定部３ｂを有している。また、第三角部３と隣接する第四角部４の内面に８ｍｍのＲ面用の入隅測定部４ａを有し、外面にも８ｍｍのＲ面の出隅測定部４ｂを有している。また、第四角部４と隣接する第五角部５の内面に０．２ｍｍのＣ面測定用の入隅測定部５ａを有し、外面にも０．２ｍｍのＣ面測定用の出隅測定部５ｂを有している。そして、第一〜第五まで列設する角部１〜５のさらに外側には、板部６ａ，６ｂが設けてあり、まず、図示左側に位置する第一板部６ａは、５ｍｍの肉厚を有しており、図１（ｃ）のように、測定対象物１７の厚み面にあてがい、肉厚を測定する。図示右側に位置する第二板部６ｂは、４ｍｍの肉厚を有している。尚、角部１〜５を列設する順番については、本実施のように、かならずしもＲ面を測定するものとＣ面を測定するものを交互に配置しなくてもよく、また、Ｒ面を測定するものとＣ面を測定するもののうち、いずれか一種のみでもよい。また、板部６ａ，６ｂについても列設してある角部１〜５の間に設けてあってもよい。このようにゲージを形成すれば、図１のように、１つのゲージで測定対象物１６の入隅や出隅を測定できる。また、複数の角部１〜５が列設する構成であるから、ゲージを見たり触ったりしたときに、設計段階での製品ディテールの把握が容易となる。
【００１３】
図２（ａ）は、第二実施形態のゲージを示しており、第一実施形態のゲージと角部１〜５の配列は同一のものであるが、相違する構成として、Ｒ面測定用の角部１〜５の曲率とＣ面測定用の角部１〜５の角度、および板部６ａ，６ｂの肉厚が異なっている。具体的に、図示左側にある角部を第一角部１とすれば、測定対象物のＣ面を測定する第一角部１の入隅測定部１ａと出隅測定部１ｂをともに１ｍｍに形成し、測定対象物のＲ面を測定する第二角部２の入隅測定部２ａと出隅測定部２ｂを共に４ｍｍで形成し、第三角部（Ｃ面を測定）３の入隅測定部３ａと出隅測定部３ｂを共に２ｍｍで形成し、第四角部（Ｒ面を測定）４の入隅測定部４ａと出隅測定部４ｂを共に５ｍｍで形成し、第五角部（Ｃ面を測定）５の入隅測定部５ａと出隅測定部５ｂを共に４ｍｍで形成したものである。さらに、板部６ａ，６ｂの肉厚は、第一板部（図示左側のもの）６ａが１．５ｍｍ、第二板部６ｂが１．２ｍｍに形成してある。
【００１４】
図２（ｃ）は、第三実施形態のゲージを示しており、第一実施形態および第二実施形態のゲージと相違する構成として、図示左側から第一角部１、第三角部３、第五角部５がＲ面を測定するもの、第二角部２と第四角部４がＣ面を測定するものと逆の配列になっており、Ｒ面測定用の角部の曲率とＣ面測定用の角部の角度、および板部の肉厚が異なっている。そして、第一〜第五角部１〜５は、具体的に、測定対象物のＲ面を測定する第一角部１の入隅測定部１ａと出隅測定部１ｂをともに３ｍｍに形成し、測定対象物のＣ面を測定する第二角部２の入隅測定部２ａと出隅測定部２ｂを共に５ｍｍで形成し、第三角部（Ｒ面を測定）３の入隅測定部３ａと出隅測定部３ｂを共に２ｍｍで形成し、第四角部（Ｃ面を測定）４の入隅測定部４ａと出隅測定部４ｂを共に４ｍｍで形成し、第五角部（Ｒ面を測定）５の入隅測定部５ａと出隅測定部５ｂを共に１ｍｍで形成したものである。さらに、板部６ａ，６ｂの肉厚は、第一板部（図示左側のもの）６ａが３ｍｍ、第二板部６ｂが２．５ｍｍに形成してある。
【００１５】
図２（ｄ）は、第四実施形態のゲージを示しており、第三実施形態のゲージと角部１〜５の配列は同一のものであるが、第一〜第三実施形態のゲージと相違する構成として、Ｒ面測定用の角部の曲率とＣ面測定用の角部の角度、および板部の肉厚が異なっている。そして、第一〜第五角部１〜５は、具体的に、測定対象物のＲ面を測定する第一角部１の入隅測定部１ａと出隅測定部１ｂをともに０．５ｍｍに形成し、測定対象物のＣ面を測定する第二角部２の入隅測定部２ａと出隅測定部２ｂを共に１０ｍｍで形成し、第三角部（Ｒ面を測定）３の入隅測定部３ａと出隅測定部３ｂを共に０．３ｍｍで形成し、第四角部（Ｃ面を測定）４の入隅測定部４ａと出隅測定部４ｂを共に８ｍｍで形成し、第五角部（Ｒ面を測定）５の入隅測定部５ａと出隅測定部５ｂを共に０．２ｍｍで形成したものである。さらに、板部６ａ，６ｂの肉厚は、第一板部（図示左側のもの）６ａが２ｍｍ、第二板部６ｂが１．５ｍｍに形成してある。
【００１６】
図３（ａ）は、本発明のゲージ収納ケースの第一実施形態を示すものである。このゲージ収納ケースは、周壁８ａ〜８ｄとからゲージ収容部２０を形成するものであり、ゲージ収容部２０には縦にした複数のゲージ１４ａ〜１４ｄを収められる。また、四方の周壁８ａ〜８ｄの外面には図３（ｂ）のように、一面ずつに上下方向に伸びて先端の曲率または／及び深さの異なる複数のＵ溝９ａ，９ｂと、先端の角度または及び深さの異なる複数のＶ溝１０ａ，１０ｂとを有しており、設計段階において溝のディテール確認ができるようになっている。また、周壁８ａ〜８ｄの四隅の角部１１ａ〜１１ｄは、各々が上下方向に伸びて先端の曲率または／及び角度が異なっており、各々の角部１１ａ〜１１ｄにおいても出願のディテール確認ができる。
【００１７】
図４（ａ）は、本発明のゲージ収納ケースの第二実施形態を示すものである。このゲージ収納ケースは、平板１２の四辺のうちの対向する二辺から立ち上がる起立片１３を有し、図４（ｂ）のように断面上向き略コ字型に形成して内周側にゲージ収納部２１を形成しており、平板１２の起立片１３間に複数のゲージ１５ａ〜１５ｄを挟持して使用するものである。また、平板１２の内周面には、先端の曲率と深さの異なる複数のＵ溝１７ａ，１７ｂと、先端の角度と深さの異なる複数のＶ溝１８ａ，１８ｂとを有しており、測定対象物の出隅のＲ面やＣ面を測定できるようになっている。尚、第一実施形態と第二実施形態に共通するが、ゲージ収納部２０，２１に収めるゲージ１４ａ〜１４ｄ、１５ａ〜１５ｄについては、角部を列設する数やＲ面測定部、Ｃ面測定部の配列、角部の曲率や角度を特定するものではない。
【符号の説明】
【００１８】
１  第一角部（角部）
２  第二角部（角部）
３  第三角部（角部）
４  第四角部（角部）
５  第五角部（角部）
１ａ〜５ａ  入隅測定部
１ｂ〜５ｂ  出隅測定部
６ａ  第一板部（板部）
６ｂ  第二板部（板部）
９ａ，９ｂ、１７ａ，１７ｂ  Ｕ溝
１０ａ，１０ｂ、１８ａ，１８ｂ  Ｖ溝
２０，２１  ゲージ収納部
【図１（ａ）（ｂ）（ｃ）】
2010266372.tif 000003
【図２（ａ）（ｂ）（ｃ）】
2010266372.tif 000004
【図３（ａ）（ｂ）】
2010266372.tif 000005
【図４（ａ）（ｂ）】
2010266372.tif 000006